(57)【要約】【課題】軽量かつ低コストのシートスイッチを提供する。【解決手段】スイッチベース１上に、車両のパワーシートを操作する複数のスイッチ部Ｓ１、Ｓ２、Ｓ３と、該スイッチ部の固定接点３６、３５に接続された金属板製の配線ラインＬＧ、ＬＢと、その配線ラインに接続された金属板製のコネクタ端子ＣＧ、ＣＢとを備えてなるシートスイッチＳにおいて、配線ラインＬＧ、ＬＢは、コネクタ端子ＣＧ、ＣＢの半分の厚さの金属板から打ち抜き形成され、コネクタ端子ＣＧ、ＣＢは、配線ラインＬＧ、ＬＢと同じ金属板から該配線ラインに連結された細長板状部材を打ち抜き、この細長板状部材の先端を折り曲げて重ねた２重構造とする。【選択図】図２
2008097935.tif 000002
【特許請求の範囲】
【請求項１】
スイッチベース上に、車両のパワーシートを操作する複数のスイッチ部と、該スイッチ部の固定接点に接続された金属板製の配線ラインと、該配線ラインに接続された金属板製のコネクタ端子とを備えてなるシートスイッチにおいて、
上記配線ラインは、上記コネクタ端子の半分の厚さの金属板から打ち抜き形成され、
上記コネクタ端子は、上記配線ラインと同じ金属板から該配線ラインに連結された細長板状部材を打ち抜き、この細長板状部材の先端を折り曲げて重ねた２重構造としたこと
を特徴とするシートスイッチ。
【請求項２】
上記コネクタ端子は、その折り曲げられた先端部が上記スイッチベース内に埋設されていること
を特徴とするシートスイッチ。
【発明の詳細な説明】
【技術分野】
【０００１】
本発明は、車両のパワーシートを操作するシートスイッチに関し、特に、その軽量化と低コスト化を図ったものである。
【背景技術】
【０００２】
従来、この種のシートスイッチとしては、例えば、特許文献１に記載されたものが知られている。同文献のシートスイッチは、車両のパワーシートを駆動するモータを正逆回転させることにより、パワーシートを前後や上下に移動させる、あるいは、パワーシートの背もたれをリクライニングさせたり元の姿勢に戻したりする等、当該パワーシートを操作するときに使用される。
【０００３】
上記のようなシートスイッチを構成するスイッチベースには、従来より、パワーシートを駆動するモータの配線ラインや電源およびグランドの配線ラインを有するとともに、さらに、これらの配線ラインをモータ、電源、グランドへ接続するためのコネクタ端子を備えている。このような配線ラインとコネクタ端子は一枚の金属板から一部品として一体に打ち抜き形成され、スイッチベースに設置される。
【０００４】
しかしながら、従来のシートスイッチによると、そのスイッチベースに設置される配線ラインは、上述のようにコネクタ端子と同じ金属板から一部品として一体に打ち抜き形成されるから、コネクタ端子と同じ厚さになることは避けられない。そのため、コネクタ端子の規格として例えば０．６ｍｍ厚の銅板製であることが必要とされる場合には、スイッチベースに設置される配線ラインも、０．６ｍｍ厚の銅板製となり、高価で重い銅材を多量に使用したものとなり、スイッチ全体の重量が増し、かつ、コスト高であるといった問題点を有している。
【０００５】
【特許文献１】特開平１０−３０８１４０号公報
【発明の開示】
【発明が解決しようとする課題】
【０００６】
本発明は上記問題点を解決するためになされたもので、その目的とするところは、軽量かつ低コストのシートスイッチを提供することにある。
【課題を解決するための手段】
【０００７】
上記目的を達成するために、本発明は、スイッチベース上に、車両のパワーシートを操作する複数のスイッチ部と、該スイッチ部の固定接点に接続された金属板製の配線ラインと、該配線ラインに接続された金属板製のコネクタ端子とを備えてなるシートスイッチにおいて、上記配線ラインは、上記コネクタ端子の半分の厚さの金属板から打ち抜き形成され、上記コネクタ端子は、上記配線ラインと同じ金属板から該配線ラインに連結された細長板状部材を打ち抜き、この細長板状部材の先端を折り曲げて重ねた２重構造としたことを特徴とする。
【０００８】
上記本発明において、上記コネクタ端子は、その折り曲げられた先端部が上記スイッチベース内に埋設される構成を採用してもよい。このような構成によると、その折り曲げられた先端部がスイッチベース内に埋設されるから、その先端部がコネクタ側に引っ掛かるような不具合を効果的に防止することができる。
【発明の効果】
【０００９】
本発明にあっては、上記の如く、配線ラインの具体的な構成として、当該配線ラインはコネクタ端子の半分の厚さの金属板から打ち抜き形成されるものとし、また、コネクタ端子の具体的な構成として、当該コネクタ端子は、上記配線ラインと同じ金属板から該配線ラインに連結された細長板状部材を打ち抜き、この細長板状部材の先端を折り曲げて重ねた２重構造とする構成を採用した。このため、例えば、コネクタ端子の規格として０．６ｍｍの厚さが必要とされる場合、コネクタ端子だけが規格通りの０．６ｍｍの厚さとなり、金属板製の配線ラインは０．３ｍｍの厚さで構成されるから、この種のシートスイッチにおいて高価で重い金属部分を大幅に削減することができ、シートスイッチの軽量化とコスト低減を図れる等の作用効果が得られる。
【発明を実施するための最良の形態】
【００１０】
以下、本発明を実施するための最良の形態について、添付した図面を参照しながら詳細に説明する。
【００１１】
図１は本発明の一実施形態であるシートスイッチの外観図、図２は図１のシートスイッチの断面図、図３は図１のシートスイッチの配線図、図４は図１のシートスイッチを構成するカバーの説明図、図５は図１のシートスイッチを構成するベースの説明図である。
【００１２】
図１の本シートスイッチＳは、図５のスイッチベース１とこれに被せて固定された図４カバー２とで一つの筐体を構成し、この筐体内に、図２のように第１ないし第３のスイッチ部Ｓ１、Ｓ２、Ｓ３と、これらのスイッチ部を操作するアクチュエータＡ１、Ａ２とを収容した構造になっている。
【００１３】
第１のスイッチ部Ｓ１は、パワーシートのリクライニング動作用モータＭ１を正逆回転させることにより、当該パワーシートをリクライニングさせたり元の状態に戻したりするときに使用されるものである。
【００１４】
上記第１のスイッチ部（以下「リクライニング用スイッチ部Ｓ１」という）は、図３の配線図に示したように、６つの固定接点３１〜３６と２つの可動接点５Ａ、５Ｂを備えている。上記６つの固定接点のうち、第１と第４の固定接点３１、３４は、モータ配線ラインＬＡ、ＬＢとモータ用コネクタ端子ＣＡ、ＣＢを介してリクライニング動作用モータＭ１の端子に接続されている。また、第２と第５の固定接点３２、３５は、電源配線ラインＬＶと電源用コネクタ端子ＣＶを介して電源（Ｖｃｃ）に接続され、第３と第６の固定接点３３、３６は、グランド配線ラインＬＧとグランド用コネクタ端子ＣＧを介してグランドに接続されている。２つの可動接点５Ａ、５Ｂは、いずれも上記のように電源に接続された固定接点３２、３５とグランドに接続された固定接点３３、３６のうちいずれか一方を選択的に、リクライニング動作用モータＭ１に接続された固定接点３１、３４に接触させるように構成されている。
【００１５】
上記２つの可動接点５Ａ、５Ｂのうち、第１の可動接点５Ａが第３の固定接点３３に接触し、かつ、第２の可動接点５Ｂが第６の固定接点３６に接触しているときには、リクライニング動作用モータＭ１の両端子がグランド電位となるから、このリクライニング動作用モータＭ１は回転しない。この状態から、例えば、第１の可動接点５Ａのみが第２の固定接点３２に接触すると、リクライニング動作用モータＭ１の一方の端子が電源電位になり、同モータＭ１の他方の端子がグランド電位になるため、このリクライニング動作用モータＭ１は例えば正方向に回転する。この状態から、第１の可動接点５Ａが第３の固定接点３３に接触し、かつ、第２の可動接点５Ｂが第５の固定接点３５に接触すると、リクライニング動作用モータＭ１の一方の端子がグランド電位となり、同モータＭ１の他方の端子が電源電位となるため、このリクライニング動作用モータＭ１は逆方向に回転する。
【００１６】
第２のスイッチ部Ｓ２は、パワーシートの前後移動用モータＭ２を正逆回転させることにより、当該パワーシート全体を前後移動させるときに使用されるものであり、第３のスイッチ部Ｓ３は、パワーシートの上下移動用モータＭ３を正逆回転させることにより、当該パワーシート全体を上下移動させるときに使用されるものである。
【００１７】
尚、第２のスイッチ部（以下「前後移動用スイッチ部Ｓ２」という）と第３のスイッチ部（以下「上下移動用スイッチ部Ｓ３」という）のスイッチ構成要素（固定接点、可動接点）や配線ライン等の回路構成については、前述したリクライニング用スイッチ部Ｓ１と同様であるため、同一部材には同一符号を付し、その詳細説明は省略する。
【００１８】
図５に示したように、スイッチベース１の表面には、前述したリクライニング用スイッチ部Ｓ１、前後移動用スイッチ部Ｓ２、上下移動用スイッチ部Ｓ３という各スイッチ部ごとに、それぞれのスイッチ部を構成する上述した６つの固定接点３１〜３６が設けられている。
【００１９】
リクライニング用スイッチ部Ｓ１の固定接点３１〜３６の配置構成などを詳細に説明すると、第１ないし第３の固定接点３１〜３３は上段に横一列に並んで配置され、その下段に横一列に並んで第４ないし第６の固定接点３４〜３６が配置されている。また、上記のような上段の３つの固定接点３１〜３３のうち、第１の固定接点３１は、図６（ｃ）のように、その両隣の固定接点（第２と第３の固定接点３２、３３）より低い位置に突出した形態で設けられるとともに、両隣の固定接点３２、３３の中間位置より後方にずれて配置されている。また、上記のような下段の３つの固定接点３４〜３６のうち、第４の固定接点３４は、図６（ｃ）のように、その両隣の固定接点（第５と第６の固定接点３５、３６）より低い位置に突出した形態で設けられるとともに、両隣の固定接点３５、３６の中間位置より前方にずれて配置されており、このように第１の固定接点３１と第４の固定接点３４とは互いにずれて配置されている。
【００２０】
前後移動用スイッチ部Ｓ２の固定接点３１〜３６は、リクライニング用スイッチ部の固定接点３１〜３６と同様の配置構成を採っているため、その詳細説明は省略する。
【００２１】
上下移動用スイッチ部Ｓ３の固定接点３１〜３６は、リクライニング用スイッチ部Ｓ１の固定接点３１〜３６を右回りに９０°回転させた配置構成を採っており、これ以外の具体的な構成は前述したリクライニング用スイッチ部Ｓ１の固定接点３１〜３６と同様であるため、その詳細説明は省略する。
【００２２】
前述した複数の固定接点３１〜３６を図３の配線図のように配線するために、本シートスイッチＳのスイッチベース１には、図５のように、前述した固定接点３１〜３６と、電源配線ラインＬＶ、グランド配線ラインＬＧ、モータ配線ラインＬＡ〜ＬＦという３種の金属板製の配線ラインと、電源用コネクタ端子ＣＶ、グランド用コネクタ端子ＣＧ、モータ用コネクタ端子ＣＡ〜ＣＦという３種のコネクタ端子とが設けられている。なお、ＬＣとＬＤは前後移動用モータＭ２用のモータ配線ライン、ＬＥとＬＦは上下移動用モータＭ３のモータ配線ライン、ＣＣとＣＤは前後移動用モータＭ２の端子に接続されるコネクタ端子、ＣＥとＣＦは上下移動用モータＭ３の端子に接続されるコネクタ端子である。
【００２３】
上記スイッチベース１上の第２及び第５の固定接点３２、３５は、同スイッチベース１上の電源配線ラインＬＶに接続され、上記スイッチベース１上の第３および第６の固定接点３２、３５は、同スイッチベース１上のグランド配線ラインＬＧに接続されている。上記スイッチベース１上の第１及び第４の固定接点３１、３４はスイッチベース１上のモータ配線ラインＣＦ、ＣＦに接続されている。
【００２４】
また、図７に示したように、スイッチベース１上の電源配線ラインＬＶとグランド配線ラインＬＧは、電源用コネクタ端子ＣＶやグランド用コネクタ端子ＣＧの約半分の厚さの金属板を用意し、この金属板から打ち抜き形成したものであり、また、その電源用コネクタ端子ＣＶとグランド用コネクタ端子ＣＧについては、電源配線ラインＬＶやグランド配線ラインＬＧと同じ金属板から該電源配線ラインに連結された細長板状部材を該配線ラインと一緒に打ち抜き、この細長板状部材の先端を折り曲げて重ねた２重構造としたものである。なお、図７中の符号１００で示す部位は、電源配線ラインＣＶとグランド配線ラインＣＧを一部品として打ち抜き形成したときの繋ぎ部であり、繋ぎ部１００はスイッチ組立て後にカットされる。
【００２５】
図８に示したように、モータ配線ラインＬＡ〜ＬＦとモータ用コネクタ端子ＣＡ〜ＣＦもまた、上記のような電源配線ラインＬＶや電源用コネクタ端子ＣＶと同様の成形方法で同様の構成を採用している。尚、図８中の符号１００で示す部位は、モータ配線ラインＬＡ〜ＬＦを一部品として打ち抜き形成したときの繋ぎ部であり、繋ぎ部１００はスイッチ組立て後にカットされる。
【００２６】
以上のような配線ラインおよびコネクタ端子の構成によると、例えば電源用、グランド用およびモータ用コネクタ端子の規格として銅板製で厚さ０．６ｍｍが必要とされる場合、スイッチベース上の電源配線ライン、グランド配線ラインおよびモータ配線ラインはいずれも０．３ｍｍの厚さの銅板で構成され、電源用、グランド用およびモータ用コネクタ端子だけが規格通りの０．６ｍｍ厚の銅板製となる。
【００２７】
電源配線ラインＬＶ、グランド配線ラインＬＧ、モータ配線ラインＬＡ〜ＬＦという３種の配線ラインと、電源用コネクタ端子ＣＶ、グランド用コネクタ端子ＣＧ、モータ用コネクタ端子ＣＡ〜ＣＦという３種のコネクタ端子は、まとめて一度に一枚の金属板から打ち抜き形成してもよい。この場合には、上記３種の配線ラインの厚さは上記３種のコネクタ端子の半分の厚さとなる。
【００２８】
本実施形態では、図５（ａ）（ｂ）（ｃ）のように、電源配線ラインＬＶとグランド配線ラインＬＧをスイッチベース１の表面に配置し、モータ配線ラインＬＡ〜ＬＦをそのスイッチベース１の裏面に配置し、電源用コネクタ端子ＣＶとグランド用コネクタ端子ＣＧとモータ用コネクタ端子ＣＡ〜ＣＦはスイッチベース１の後部側面から突出するように構成するとともに、いずれのコネクタ端子も、その折り曲げられた先端部がスイッチベース１内に埋設されるように構成した（図２（ｂ）参照）。
【００２９】
さらに、本実施形態においては、図８に示したように、上記のように突出した形態の第１及び第４の固定接点３１、３４の具体的な構造として、モータ配線ラインＬＡ〜ＬＦと同じ金属板から該モータ配線ラインＬＡ〜ＬＦに連結された細長板状部材を該モータ配線ラインＬＡ〜ＬＦと一緒に打ち抜き、この細長板状部材を９０°折り曲げた構造を採用した。
【００３０】
次に、各スイッチ部Ｓ１、Ｓ２、Ｓ３の可動接点５Ａ、５Ｂについて説明する。各スイッチ部Ｓ１、Ｓ２、Ｓ３は、図９に示す金属バネ材製の可動接点５Ａ、５Ｂを２つ備えており、この２つの可動接点５Ａ、５Ｂはいずれも中央をＶ字形状に形成した構造になっている。そして、図１０（ａ）に示したように、第１の可動接点５Ａは、そのＶ字形状部の左側外面が第１の固定接点３１の先端に接触するように配置され、また、図１０（ｂ）に示したように、第２の可動接点５Ｂは、そのＶ字形状部の右側外面が第４の固定接点３４の先端に接触するように配置される。
【００３１】
続いて、リクライニング用スイッチ部Ｓ１を操作するアクチュエータＡ１について説明する。
【００３２】
リクライニング用スイッチ部Ｓ１を操作するアクチュエータＡ１は、図１１の揺動部品６と図１２のバネホルダ７とで構成される。
【００３３】
揺動部品６は、その表面に立設された１つの軸部８と、裏面に形成されたバネホルダ収容部９とを備えるとともに、リクライニング用スイッチ部Ｓ１の上方に配置された状態でカバー２内に収容される（図２（ｂ）参照）。この収容状態で、上記軸部８は、図４のカバー２に設けた長孔形状の開口部２Ａを貫通して、カバー２の上面に突出し、かつ、カバー２の上面に立設されている回転基準軸部１１と平行に並んで配置される。
【００３４】
バネホルダ７は、その上面に開設されている孔１２の内側にバネ１３を収容するとともに、揺動部品６のバネホルダ収容部９にスライド可能に挿入される（図２（ｂ）参照）。このとき、バネ１３の上端はバネホルダ収容部９の内壁に当接するように構成されている。また、バネホルダ１３の下面には２つの突起１４Ａ、１４Ｂが形成されており、これら２つの突起のうち、第１の突起１４Ａは、図１０（ａ）のように第１の可動接点４１の上面に当接するように配置され、第２の突起１４Ｂは、図１０（ｂ）のように第２の可動接点４２の上面に当接するように配置されている。そして、この２つの突起１４Ａ、１４Ｂは、バネ１３の力によって、２つの可動接点４１、４２の方向へ向って常時付勢される構造になっている。
【００３５】
また、上記のように並んで配置されたアクチュエータＡ１の軸部８とカバー２の回転基準軸部１１には、図１に示すようにノブ１５Ａが取り付けられ、このノブ（以下「リクライニング用ノブ１５Ａ」という）を介して回転基準軸部１１とアクチュエータＡ１が連結されており、図１の２点破線のように回転基準軸部１１を中心としてリクライニング用ノブ１５Ａを前後に倒すと、揺動部品６とその軸部８、バネホルダ７、第１及び第２の突起１４Ａ、１４Ｂが前後にスライド移動する。
【００３６】
＜リクライニング用ノブが中立位置にあるときの動作説明＞
図１の実線で示したリクライニング用ノブ１５Ａは中立の位置にある。この中立位置のときには、バネ１３の力によって、第１の突起１４Ａは図１０（ａ）のように第１の可動接点５ＡのＶ字形状部を下方へ押圧し、また、第２の突起１４Ｂも図１０（ｂ）のように第２の可動接点５ＢのＶ字形状部を下方へ押圧している。このとき、第１の突起１４Ａは第１の可動接点１４Ａの支点となる第１の固定接点３１より前方の位置で第１の可動接点５Ａを押圧することから、第１の可動接点５Ａは第１の固定接点３１を支点として前方に傾く。その結果、第１の可動接点５Ａの前端部が第３の固定接点３３に接触し、第１の可動接点５Ａの後端部は第２の固定接点３２から浮き上がった状態になる。同時に、第２の可動接点５Ｂは、第４の固定接点３４を支点として後方に傾き、その結果、第２の可動接点５Ｂの前端部は第５の固定接点３５から浮き上がり、第２の可動接点１４Ｂの後端部が第６の固定接点３６に接触した状態となる。
【００３７】
上記のように第１の可動接点５Ａの前端部が接触している第３の固定接点３３と、第２の可動接点５Ｂの前端部が接触している第６の固定接点３６は、いずれもグランド配線ラインＬＧとグランド用コネクタ端子ＣＧを介してグランドに接続されているから、グランド電位となっている。このようなグランド電位の第３及び第６の固定接点３３、３６から第１及び第２の可動接点５Ａ、５Ｂ、第１及び第４の固定接点３１、３４、モータ配線ラインＬＥ、ＬＦ、並びにモータ用コネクタ端子ＣＥ、ＣＦを介して、リクライニング動作用モータＭ１の両端子にはグランド電位が印加されるため、リクライニング動作用モータＭ１は回転せず停止状態となる。
【００３８】
＜リクライニング用ノブを前方へ倒したときの動作説明＞
図１のように中立位置にあるリクライニング用ノブ１５Ａを後方へ倒すと、第１及び第２の突起１４Ａ、１４Ｂが後方へスライドする。このとき、第１の突起１４Ａは図１０（ｃ）のように第１の可動接点５Ａの支点（第１の固定接点３１）を乗り越えて後方へスライド移動するため、第１の可動接点５Ａは後方に傾き、その結果、第１の可動接点５Ａの前端部は第３の固定接点３３から浮き上がり、第１の可動接点５Ａの後端部が第２の固定接点３２に接触した状態になる。この一方、第２の突起１４Ｂは、図１０（ｂ）のようにリクライニング用ノブ１５Ａが中立の位置にあるときから第２の可動接点５Ｂの支点（第４の固定接点３４）より後方に位置し、この位置から更に後方へスライド移動するだけであるから、第２の可動接点５Ｂはリクライニング用ノブ１５Ａが中立の位置にあったときの姿勢を維持する。すなわち、第２の可動接点５Ｂは第４の固定接点３４を支点として後方に傾き、第２の可動接点５Ｂの前端部は第５の固定接点３５から浮き上がり、第２の可動接点５Ｂの後端部は第６の固定接点３６に接触した状態になっている。
【００３９】
そして、上記のように第１の可動接点５Ａの後端部が接触している第２の固定接点３２は、電源配線ラインＬＶと電源用コネクタ端子ＣＶを介して電源に接続されていることから、電源電位になっている。この一方、上記のように第２の可動接点５Ｂの後端部が接触している第６の固定接点３６は、上述の通りグランド電位である。このため、図３のように、電源電位の第２の固定接点３２から第１の可動接点５Ａ、第１の固定接点３１、モータ配線ラインＬＡ、並びにモータ用コネクタ端子ＣＡを介して、リクライニング動作用モータＭ１の一方の端子に電源電圧が印加されるとともに、これと同時に、グランド電位の第６の固定接点３６から第２の可動接点５Ｂ、第４の固定接点３４、モータ配線ラインＬＢ並びにモータ用コネクタ端子ＣＢを介して、同モータＭ１の他方の端子にグランド電位が印加されるので、このリクライニング動作用モータＭ１は所定の方向に回転する。
【００４０】
なお、図１のように中立位置にあるリクライニング用ノブ１５Ａを後方へ倒すと、以上説明した可動接点５Ａ、５Ｂの動作とは逆の動作によって、リクライニング動作用モータＭ１が逆方向に回転する。
【００４１】
次に、前後移動用スイッチ部Ｓ１と上下移動用スイッチ部Ｓ２を操作するアクチュエータ（以下「前後・上下移動用アクチュエータＡ２」という）について説明する。
【００４２】
前後・上下移動用アクチュエータＡ２は、図１３の第１スライド部品１６Ａ、１６Ｂ（２個）と、図１４の第２スライド部品（１個）１７と、図１２のバネホルダ７（２個）とにより構成される。
【００４３】
第１スライド部品１６Ａ、１６Ｂは、その表面に突出した凸部１８と、裏面に形成したバネホルダ収容部９とを備えるとともに、図２のように前後移動用スイッチ部Ｓ２と上下移動用スイッチ部Ｓ３の上方に一つずつ配置された状態でカバー２内に収容される（図２（ｂ）参照）。これらの第１スライド部品１６のバネホルダ収容部９には、図１２のバネホルダ７がスライド可能に挿入される。尚、バネホルダ７の具体的な構成については先に説明したので省略する。
【００４４】
第２スライド部品１７は、その表面に立設された２つの軸部２０と、裏面に形成された横溝２１および縦溝２２を備えるとともに、図２のように、第１スライド部品１６Ａ、１６Ｂの表面側に配置された状態でカバー２内に収容される（図２（ｂ）参照）。この収容状態で、各軸部２０は、カバー２に設けた十字形状の開口部２Ｂ（図４参照）の中心を貫通して、カバー２の上面に突出するように構成されている。また、その突出した各軸部２０の先端には、図１のようにノブ１５Ｂ（以下「上下・前後移動用ノブ１５Ｂ」という）が取り付けられるようになっている。また、上記横溝２１には一方の第１スライド部品１６Ａの凸部１８がスライド可能に係合し、上記横溝２２には他方の第２スライド部品１６Ｂの凸部１８がスライド可能に係合するように構成されている。
【００４５】
上記のような構成からなる前後・上下移動用アクチュエータ１５Ｂにおいて、例えば上下・前後移動用ノブ１５Ｂを図１の２点破線で示すように前後にスライドさせると、第２スライド部品１７が前後にスライドする。この際、前後移動用スイッチ部Ｓ２の上方に位置する第１スライド部品１６Ａの凸部１８Ｂが第２スライド部品１７裏面の縦溝２２に引っ掛かって係合するため、この第１スライド部品１６Ａだけが第２スライド部品１７と同じように前後にスライドする。
【００４６】
また、上記のような構成からなる前後・上下移動用アクチュエータ１５Ｂにおいて、上下・前後移動用ノブを図１の２点破線で示すように上下にスライドさせると、第２スライド部品１７が上下にスライドする。このときは、上下移動用スイッチＳ３の上方に位置する第１スライド部品１６Ｂの凸部１８が、第２スライド部品裏面の横溝２１に引っ掛かって係合するため、この第１スライド部品１６Ｂだけが第２スライド部品１７と同じように上下にスライドする。
【００４７】
＜上下・前後移動用ノブが中立位置にあるときの動作説明＞
図１の実線で示した上下・前後移動用ノブ１５Ｂは中立の位置にある。この中立位置のときには、前後移動用スイッチ部Ｓ２と上下移動用スイッチ部Ｓ３は、前述したリクライニング用ノブＳ１が中立位置にあるときのリクライニング用スイッチ部Ｓ１と同様の状態となっており、前後移動用モータＭ２と上下移動用モータＭ３は回転せず、パワーシートは現在の姿勢を維持する。
【００４８】
＜上下・前後移動用ノブを前後にスライドさせたときの動作説明＞
図１のように中立位置にある上下・前後移動用ノブ１５Ｂを後方へスライドさせると、前後移動用スイッチ部Ｓ２の上方に位置する第１スライド部品１６Ａが後方へスライドする。そうすると、前述したリクライニング用ノブ１５Ａを後方に倒したときのリクライニング用スイッチ部Ｓ１の動作と同じように、前後移動用スイッチ部Ｓ２が動作し、前後移動用モータＭ２が回転し、パワーシートが後方へ移動する。これとは逆に、上下・前後移動用ノブ１５Ｂを前方へスライドさせたときは、その第１スライド部品１６Ａが前方へスライドし、リクライニング用ノブＳ１を前方へ倒したときのリクライニング移動用スイッチ部Ｓ１の動作と同じように、前後移動用スイッチ部Ｓ２が動作し、これにより、前後移動用モータが逆方向に回転し、パワーシートが前方へ移動する。
【００４９】
＜上下・前後移動用ノブを上下にスライドさせたときの動作説明＞
図１のように中立位置にある上下・前後移動用ノブ１５Ｂを上方へスライドさせると、上下移動用スイッチ部Ｓ２の上方に位置する第１スライド部品１６Ｂが上方へスライドする。そうすると、前述したリクライニング用ノブ１５Ａを後方へ倒したときのリクライニング用スイッチ部Ｓ１の動作と同じように、上下移動用スイッチ部Ｓ３が動作し、これにより上下移動用モータＭ３が回転し、パワーシート全体が上昇する。これとは逆に、上下・前後移動用ノブ１５Ｂを下方へスライドさせたときは、その第１スライド部品１６Ｂが下方へスライドし、リクライニング用シートノブＳ１を前方へ倒したときのリクライニング移動用スイッチ部Ｓ１の動作と同じように、上下移動用スイッチ部Ｓ３が動作し、上下移動用モータＭ３が逆方向に回転し、パワーシート全体が下降する。
【図面の簡単な説明】
【００５０】
【図１】図１は本発明の一実施形態であるシートスイッチの外観図であり、（ａ）はスイッチシートの平面図、（ｂ）はその正面図、（ｃ）は左側面図である。
【図２】図２は図１のシートスイッチの断面図であり、図中（ａ）は平面断面図、（ｂ）は正面断面図である。
【図３】図３は図１のシートスイッチの配線図である。
【図４】図４は図１のシートスイッチを構成するカバーの説明図であり、図中（ａ）はカバーの上面図、（ｂ）はその左側面図、（ｃ）は正面図、（ｄ）はｄ−ｄ線断面図、（ｅ）は下面図である。
【図５】図５は図１のシートスイッチを構成するベースの説明図であり、図中（ａ）はベースの上面図、（ｂ）はその正面図、（ｃ）は下面図、（ｄ）は左側面図である。
【図６】図６はスイッチ部の詳細図であり、図中（ａ）はスイッチ部の上面図、（ｂ）はその左側面図、（ｃ）はｃ−ｃ線断面図、（ｄ）はｄ−ｄ線断面図である。
【図７】図７はベースに組み込まれる前の電源配線ライン、グランド配線ライン、電源用コネクタ、グランド用コネクタの説明図であり、図中（ａ）はその上面図、（ｂ）は正面図である。
【図８】図８はベースに組み込まれる前のモータ配線ライン、モータ用コネクタの説明図であり、図中（ａ）はその上面図、（ｂ）は正面図、（ｃ）はｃ矢視図（ｄ）はｄ矢視図である。
【図９】図９は図１のシートスイッチを構成する可動接点の説明図であり、図中（ａ）は可動接点の平面図、（ｂ）はその正面図である。
【図１０】図１０は（ａ）（ｂ）は可動接点の配置状態の説明図、同図（ｃ）は可動接点の動作説明図である。
【図１１】図１１はリクライニング用スイッチ部を操作するアクチュエータの構成部品（揺動部品）の説明図であり、図中（ａ）は揺動部品の上面図、（ｂ）はその正面図、（ｃ）は右側面図、（ｄ）はｄ−ｄ線断面図、（ｅ）は下面図、（ｆ）はｆ−ｆ線断面図である。
【図１２】図１２はバネホルダの説明図であり、図中（ａ）はバネホルダの上面図、（ｂ）はその正面図、（ｃ）は下面図、（ｄ）は右側面図、（ｅ）はｅ−ｅ線断面図である。
【図１３】図１３は前後移動用スイッチ部と上下移動用スイッチ部を操作するアクチュエータの構成部品（第１スライド部品）の説明図であり、図中（ａ）は第１スライド部品の上面図、（ｂ）はその正面図、（ｃ）は右側面図、（ｄ）はｄ−ｄ線断面図、（ｅ）は下面図、（ｆ）はｆ−ｆ線断面図である。
【図１４】図１４は前後移動用スイッチ部と上下移動用スイッチ部を操作するアクチュエータの構成部品（第２スライド部品）の説明図であり、図中（ａ）は第２スライド部品の上面図、（ｂ）はその左側面、（ｃ）は正面図、（ｄ）はｄ−ｄ線断面図、（ｅ）は下面図である。
【符号の説明】
【００５１】
Ｓ  シートスイッチ
１  スイッチベース
２  カバー
２Ａ、２Ｂ  開口部
３１〜３６  固定接点
５Ａ、５Ｂ  可動接点
６  揺動部品
７  バネホルダ
８  軸部
９  バネホルダ収容部
１０  開口部
１１  回転基準軸部
１２  孔
１３  バネ
１４Ａ、１４Ｂ  突起
１５Ａ  ノブ（リクライニング用ノブ）
１５Ｂ  ノブ（上下・前後移動用ノブ）
１６Ａ、１６Ｂ  第１スライド部品
１７  第２スライド部品
１８  凸部
２０  軸部
２１  横溝
２２  縦溝
Ａ１、Ａ２  アクチュエータ
Ｓ１  第１のスイッチ部（リクライニング用スイッチ部）
Ｓ２  第２のスイッチ部（前後移動用スイッチ部）
Ｓ３  第３のスイッチ部（上下移動用スイッチ部）
Ｍ１  リクライニング動作用モータ
Ｍ２  前後移動用モータ
Ｍ３  上下移動用モータ
ＬＡ、ＬＢ、ＬＣ、ＬＤ、ＬＥ、ＬＦ  モータ配線ライン
ＬＶ  電源配線ライン
ＬＧ  グランド配線ライン
ＣＡ、ＣＢ、ＣＣ、ＣＤ、ＣＥ、ＣＦ  モータ用コネクタ端子
ＣＶ  電源用コネクタ端子
ＣＧ  グランド用コネクタ端子
【図１】
2008097935.tif 000003
【図２】
2008097935.tif 000004
【図３】
2008097935.tif 000005
【図４】
2008097935.tif 000006
【図５】
2008097935.tif 000007
【図６】
2008097935.tif 000008
【図７】
2008097935.tif 000009
【図８】
2008097935.tif 000010
【図９】
2008097935.tif 000011
【図１０】
2008097935.tif 000012
【図１１】
2008097935.tif 000013
【図１２】
2008097935.tif 000014
【図１３】
2008097935.tif 000015
【図１４】
2008097935.tif 000016